(57)【要約】【課題】遊技機の前扉の着脱作業を容易にすることができる。【解決手段】筐体(1)又は交換ユニット(2)の少なくとも一方には蝶番(90)が設けられ、前扉(3)には、蝶番(90)への固定部(300)が設けられていると共に、蝶番(90)には、上方に立設した仮固定突部(310)が設けられ、前扉(3)には、仮固定突部(310)に上方から嵌り込む仮固定穴が設けられ、前扉(3)の仮固定穴を蝶番(90)の仮固定突部(310)に差し込んで仮固定した後に、固定部(300)を蝶番(90)に固定することで、前扉(3)と蝶番(90)とを本固定するように形成したことを特徴とする。【選択図】図７
2011004846.tif 000002
【特許請求の範囲】
【請求項１】
正面に向かって開口する正面開口部を有する筐体と、前記筐体の前記正面開口部を開閉自在に塞ぐ前扉とを有する遊技機であって、
前記筐体の内部には、複数の回転リールを支持するリールユニットを有する交換ユニットが設けられていると共に、
前記前扉は、前記筐体又は前記交換ユニットの少なくとも一方に軸支され、回転可能に形成されているものであり、
前記筐体又は前記交換ユニットの少なくとも一方には蝶番が設けられ、前記前扉には、前記蝶番への固定部が設けられていると共に、
前記蝶番には、上方に立設した仮固定突部が設けられ、前記前扉には、前記仮固定突部に上方から嵌り込む仮固定穴が設けられ、
前記前扉の前記仮固定穴を前記蝶番の前記仮固定突部に差し込んで仮固定した後に、前記固定部を前記蝶番に固定することで、前記前扉と前記蝶番とを本固定するように形成したことを特徴とする遊技機。
【請求項２】
前記前扉は、前記正面開口部の上部を開閉自在に塞ぐ上扉と、前記正面開口部の下部を開閉自在に塞ぐ下扉とを備え、
前記上扉は、前記筐体又は前記交換ユニットに軸支され、回転可能に形成されているものであり、
前記筐体又は前記交換ユニットには前記蝶番が設けられ、前記上扉には、前記固定部が設けられていると共に、
前記蝶番には、前記仮固定突部が設けられ、前記上扉には、前記仮固定穴が設けられ、
前記上扉の前記仮固定穴を前記蝶番の前記仮固定突部に差し込んで仮固定した後に、前記固定部を前記蝶番に固定することで、前記上扉と前記蝶番とを本固定するように形成したことを特徴とする請求項１記載の遊技機。
【請求項３】
正面に向かって開口する正面開口部を有する筐体と、前記筐体の前記正面開口部を開閉自在に塞ぐ前扉とを有する遊技機であって、
前記筐体の内部には、複数の回転リールを支持するリールユニットを有する交換ユニットが設けられていると共に、
前記前扉は、前記筐体又は前記交換ユニットの少なくとも一方に軸支され、回転可能に形成されているものであり、
前記筐体又は前記交換ユニットの少なくとも一方には蝶番が設けられ、前記前扉には、前記蝶番への固定部が設けられていると共に、
前記蝶番には、上方に向かって開口した仮固定穴が設けられ、前記前扉には、下方に向かって突出して前記仮固定穴に上方から嵌り込む仮固定突部が設けられ、
前記前扉の前記仮固定突部を前記蝶番の前記仮固定穴に差し込んで仮固定した後に、前記固定部を前記蝶番に固定することで、前記前扉と前記蝶番とを本固定するように形成したことを特徴とする遊技機。
【請求項４】
前記前扉は、前記正面開口部の上部を開閉自在に塞ぐ上扉と、前記正面開口部の下部を開閉自在に塞ぐ下扉とを備え、
前記上扉は、前記筐体又は前記交換ユニットに軸支され、回転可能に形成されているものであり、
前記筐体又は前記交換ユニットには前記蝶番が設けられ、前記上扉には、前記固定部が設けられていると共に、
前記蝶番には、前記仮固定穴が設けられ、前記上扉には、前記仮固定突部が設けられ、
前記上扉の前記仮固定突部を前記蝶番の前記仮固定穴に差し込んで仮固定した後に、前記固定部を前記蝶番に固定することで、前記上扉と前記蝶番とを本固定するように形成したことを特徴とする請求項３記載の遊技機。
【請求項５】
第１部材に対して、第２部材を、回転可能に軸支させるための蝶番セットであって、
前記蝶番セットは、
第１部材に固定する蝶番と、第２部材に固定する蝶番固定具とを備え、
前記蝶番固定具は、前記蝶番を本固定するための固定部を備え、
前記蝶番には、上方に立設した仮固定突部が設けられ、前記蝶番固定具には、前記仮固定突部に上方から嵌り込む仮固定穴が設けられ、
前記蝶番固定具の前記仮固定穴を前記蝶番の前記仮固定突部に差し込んで仮固定した後に、前記固定部を前記蝶番に固定することで、前記蝶番固定具と前記蝶番とを本固定するように形成したことを特徴とする蝶番セット。
【請求項６】
第１部材に対して、第２部材を、回転可能に軸支させるための蝶番セットであって、
前記蝶番セットは、
第１部材に固定する蝶番と、第２部材に固定する蝶番固定具とを備え、
前記蝶番固定具は、前記蝶番を本固定するための固定部を備え、
前記蝶番には、上方に向かって開口した仮固定穴が設けられ、前記蝶番固定具には、下方に向かって突出して前記仮固定穴に上方から嵌り込む仮固定突部が設けられ、
前記蝶番固定具の前記仮固定突部を前記蝶番の前記仮固定穴に差し込んで仮固定した後に、前記固定部を前記蝶番に固定することで、前記蝶番固定具と前記蝶番とを本固定するように形成したことを特徴とする蝶番セット。
【発明の詳細な説明】
【技術分野】
【０００１】
この発明は、遊技機の前扉の着脱作業を簡易にした蝶番セット及びその蝶番セットを使用した遊技機に関するものである。
【背景技術】
【０００２】
この種の遊技機、具体的には、例えば、スロットマシンにおいて、前扉を筐体に回転可能に軸支するための蝶番（ヒンジ）として、筐体側に上方に突出する円柱棒状の軸（ピン）を設け、その軸に上から嵌め込まれると共に嵌め込まれた状態で回転可能な円筒状のピン穴を前扉側に設けることで、前扉を筐体の一方側に回転可能に軸支するものが使用されていた（特許文献１、図３、図４）。
しかし、かかる蝶番では、軸（ピン）に前扉の重量による負担がかかりすぎて、軸（ピン）が曲がったり、或いは、変形し、結果として、前扉にガタツキが発生していた。
そこで、かかる問題点を解決するために、リンク機構を用いたスライド式の蝶番（ヒンジ）が検討されている。具体的には、筐体に固定する本体固定部と、この本体固定部に対してリンク機構を介して回動可能な回転部と、前扉に固定されて回転部を取り付け可能な蝶番プレートとを備えるとともに、回転部が蝶番プレートに対して仮固定できる仮固定手段を備え、この仮固定手段として、回転部から蝶番プレート側に向かって突出する突出挿入部を備え、蝶番プレートは、突出挿入部と整合するように切り欠いて突出挿入部を挿入可能な切り欠き部を備え、この切り欠き部に突出挿入部を挿入すると共に、その状態を維持するための部品や、各部品の係止部等の係合関係により仮固定するものがある（特許文献２）。
【０００３】
そして、従来の遊技機では、前扉を筐体に蝶番を介して回動可能に取り付ける際、前扉を筐体等に一旦、仮固定して、その後、ねじ等により本固定を行っている。
【先行技術文献】
【特許文献】
【０００４】
【特許文献１】特開２００３−４７６８６号公報
【特許文献２】特開２００５−１１１１４６号公報
【発明の概要】
【発明が解決しようとする課題】
【０００５】
従来の遊技機では、前扉の筐体への取り付け作業において、回転部を蝶番プレートに仮固定する際、前扉をある程度の角度、開口した状態で、突出挿入部を切り欠き部に挿入すると共に、挿入状態を維持するための所定の係合関係を成立させるため、前扉を有る程度開いた状態で、複数の作業工程を経て仮固定しなければならなかった。このため、仮固定作業が、手間であり、また、ホール環境によっては、隣接する遊技機や台間機等により前扉を十分に開くスペースを確保できないような場合には、仮固定作業や、その後の取り付け作業等、また、取り外す際の本固定及び仮固定の解除作業が行い難いという問題点があった。
【０００６】
そこで、本願発明は、着脱作業を容易にすることができる蝶番セット及び遊技機を提供しようとするものである。
【課題を解決するための手段】
【０００７】
（請求項１）
請求項１記載の発明は、正面に向かって開口する正面開口部(11)を有する筐体(1)と、前記筐体(1)の前記正面開口部(11)を開閉自在に塞ぐ前扉(3)とを有する遊技機(S)である。
そして、前記筐体(1)の内部には、複数の回転リール(23)を支持するリールユニット(20)を有する交換ユニット(2)が設けられていると共に、前記前扉(3)は、前記筐体(1)又は前記交換ユニット(2)の少なくとも一方に軸支され、回転可能に形成されているものである。
【０００８】
そして、前記筐体(1)又は前記交換ユニット(2)の少なくとも一方には蝶番(90)が設けられ、前記前扉(3)には、前記蝶番(90)への固定部(300)が設けられていると共に、前記蝶番(90)には、上方に立設した仮固定突部(310)が設けられ、前記前扉(3)には、前記仮固定突部(310)に上方から嵌り込む仮固定穴が設けられている。
そして、前記前扉(3)の前記仮固定穴を前記蝶番(90)の前記仮固定突部(310)に差し込んで仮固定した後に、前記固定部(300)を前記蝶番(90)に固定することで、前記前扉(3)と前記蝶番(90)とを本固定するように形成したことを特徴とする。
（請求項２）
請求項２記載の発明は、上記した請求項１記載の発明の特徴点に加え、次の点を特徴とする。すなわち、前記前扉(3)は、前記正面開口部(11)の上部を開閉自在に塞ぐ上扉(30)と、前記正面開口部(11)の下部を開閉自在に塞ぐ下扉(40)とを備えている。
【０００９】
そして、前記上扉(30)は、前記筐体(1)又は前記交換ユニット(2)に軸支され、回転可能に形成されているものである。
そして、前記筐体(1)又は前記交換ユニット(2)には前記蝶番(90)が設けられ、前記上扉(30)には、前記固定部(300)が設けられていると共に、前記蝶番(90)には、前記仮固定突部(310)が設けられ、前記上扉(30)には、前記仮固定穴が設けられている。
そして、前記上扉(30)の前記仮固定穴を前記蝶番(90)の前記仮固定突部(310)に差し込んで仮固定した後に、前記固定部(300)を前記蝶番(90)に固定することで、前記上扉(30)と前記蝶番(90)とを本固定するように形成したことを特徴とする。
【００１０】
（請求項３）
請求項３記載の発明は、正面に向かって開口する正面開口部(11)を有する筐体(1)と、前記筐体(1)の前記正面開口部(11)を開閉自在に塞ぐ前扉(3)とを有する遊技機(S)である。
そして、前記筐体(1)の内部には、複数の回転リール(23)を支持するリールユニット(20)を有する交換ユニット(2)が設けられていると共に、前記前扉(3)は、前記筐体(1)又は前記交換ユニット(2)の少なくとも一方に軸支され、回転可能に形成されているものである。
【００１１】
そして、前記筐体(1)又は前記交換ユニット(2)の少なくとも一方には蝶番(90)が設けられ、前記前扉(3)には、前記蝶番(90)への固定部(300)が設けられていると共に、前記蝶番(90)には、上方に向かって開口した仮固定穴が設けられ、前記前扉(3)には、下方に向かって突出して前記仮固定穴に上方から嵌り込む仮固定突部(310)が設けられている。
そして、前記前扉(3)の前記仮固定突部(310)を前記蝶番(90)の前記仮固定穴に差し込んで仮固定した後に、前記固定部(300)を前記蝶番(90)に固定することで、前記前扉(3)と前記蝶番(90)とを本固定するように形成したことを特徴とする。
（請求項４）
請求項４記載の発明は、上記した請求項３記載の発明の特徴点に加え、次の点を特徴とする。すなわち、前記前扉(3)は、前記正面開口部(11)の上部を開閉自在に塞ぐ上扉(30)と、前記正面開口部(11)の下部を開閉自在に塞ぐ下扉(40)とを備えている。
【００１２】
そして、前記上扉(30)は、前記筐体(1)又は前記交換ユニット(2)に軸支され、回転可能に形成されているものである。
そして、前記筐体(1)又は前記交換ユニット(2)には前記蝶番(90)が設けられ、前記上扉(30)には、前記固定部(300)が設けられていると共に、前記蝶番(90)には、前記仮固定穴が設けられ、前記上扉(30)には、前記仮固定突部(310)が設けられている。
そして、前記上扉(30)の前記仮固定突部(310)を前記蝶番(90)の前記仮固定穴に差し込んで仮固定した後に、前記固定部(300)を前記蝶番(90)に固定することで、前記上扉(30)と前記蝶番(90)とを本固定するように形成したことを特徴とする。
【００１３】
（請求項５）
請求項５記載の発明は、第１部材（具体的には、例えば、筐体(1)）に対して、第２部材（具体的には、例えば、前扉(3)）を、回転可能に軸支させるための蝶番セットであって、前記蝶番セットは、第１部材に固定する蝶番(90)と、第２部材に固定する蝶番固定具（具体的には、蝶番プレート(120)）とを備え、前記蝶番固定具（蝶番プレート(120)）は、前記蝶番(90)を本固定するための固定部(300)を備えている。
そして、前記蝶番(90)には、上方に立設した仮固定突部(310)が設けられ、前記蝶番固定具（蝶番プレート(120)）には、前記仮固定突部(310)に上方から嵌り込む仮固定穴が設けられている。
【００１４】
そして、前記蝶番固定具（蝶番プレート(120)）の前記仮固定穴を前記蝶番(90)の前記仮固定突部(310)に差し込んで仮固定した後に、前記固定部(300)を前記蝶番(90)に固定することで、前記蝶番固定具（蝶番プレート(120)）と前記蝶番(90)とを本固定するように形成したことを特徴とする。
（請求項６）
請求項６記載の発明は、第１部材（具体的には、例えば、筐体(1)）に対して、第２部材（具体的には、例えば、前扉(3)）を、回転可能に軸支させるための蝶番セットであって、前記蝶番セットは、第１部材に固定する蝶番(90)と、第２部材に固定する蝶番固定具（具体的には、蝶番プレート(120)）とを備え、前記蝶番固定具（蝶番プレート(120)）は、前記蝶番(90)を本固定するための固定部(300)を備えている。
【００１５】
そして、前記蝶番(90)には、上方に向かって開口した仮固定穴が設けられ、前記蝶番固定具（蝶番プレート(120)）には、下方に向かって突出して前記仮固定穴に上方から嵌り込む仮固定突部(310)が設けられている。
そして、前記蝶番固定具（蝶番プレート(120)）の前記仮固定突部(310)を前記蝶番(90)の前記仮固定穴に差し込んで仮固定した後に、前記固定部(300)を前記蝶番(90)に固定することで、前記蝶番固定具（蝶番プレート(120)）と前記蝶番(90)とを本固定するように形成したことを特徴とする。
【発明の効果】
【００１６】
本発明は、以上のように構成されているので、以下に記載されるような効果を奏する。
（請求項１）
請求項１記載の発明によれば、前扉の仮固定孔を、蝶番の仮固定突部に上方から差し込むことで、前扉の自重により安定した仮固定を行うことができる。
そして、仮固定の作業が、蝶番の仮固定突部の上方に前扉の仮固定孔を配置して、前扉の自重を利用して仮固定孔に仮固定突部が差し込まれるように前扉を下方に下げるだけで、複雑な工程を経ずに仮固定が完了するため、仮固定の作業を簡易なものにすることができる。
【００１７】
また、仮固定作業が蝶番の仮固定突部の上方に前扉の仮固定孔が位置するようにして、前扉を下げて仮固定孔に仮固定突部を差し込むだけで完了するため、前扉を大きく開いた状態で作業をする必要がなく、遊技機周辺のスペースを十分に確保できないような場所であっても、作業をすることができる。
また、仮固定孔に仮固定突部が嵌り込むと前扉の自重により両者の位置関係は固定され、ぶれることがない。そして、その仮固定した状態で、蝶番と、前扉の固定部とを本固定することができる。これにより、前扉の固定位置のバラツキを軽減することができる。
また、前扉を取り外す際、本固定を解除しても、前扉の自重により安定した仮固定を維持することができる上に、その後、前扉を上方に持ち上げて、仮固定突部から仮固定孔を外すだけで、仮固定の解除も簡単にすることができる。
【００１８】
（請求項２）
請求項２記載の発明によれば、請求項１の効果の記載中、「前扉」の語句を「上扉」に変更したものと同様の効果を得ることができる。
（請求項３）
請求項３記載の発明によれば、前扉の仮固定突部を、蝶番の仮固定孔に上方から差し込むことで、前扉の自重により安定した仮固定を行うことができる。
そして、仮固定の作業が、蝶番の仮固定孔の上方に前扉の仮固定突部を配置して、前扉の自重を利用して仮固定孔に仮固定突部が差し込まれるように前扉を下方に下げるだけで、複雑な工程を経ずに仮固定が完了するため、仮固定の作業を簡易なものにすることができる。
【００１９】
また、仮固定作業が、蝶番の仮固定孔の上方に前扉の仮固定突部が位置するようにして、前扉を下げて仮固定孔に仮固定突部を差し込むだけで完了するため、前扉を大きく開いた状態で作業をする必要がなく、遊技機周辺のスペースを十分に確保できないような場所であっても、作業をすることができる。
また、仮固定孔に仮固定突部が嵌り込むと両者の位置関係は固定され、ぶれることがない。そして、その仮固定した状態で、蝶番と、前扉の固定部とを本固定することができる。これにより、前扉の固定位置のバラツキを軽減することができる。
また、前扉を取り外す際、本固定を解除しても、前扉の自重により安定した仮固定を維持することができる上に、その後、前扉を上方に持ち上げて、仮固定突部から仮固定孔を外すだけで、仮固定の解除も簡単にすることができる。
【００２０】
（請求項４）
請求項４記載の発明によれば、請求項３の効果の記載中、「前扉」の語句を、「上扉」に変更したものと同様の効果を得ることができる。
（請求項５）
請求項５記載の発明によれば、蝶番固定具の仮固定孔を、蝶番の仮固定突部に上方から差し込むことで、自重により安定した仮固定を行うことができる。
そして、仮固定の作業が、蝶番の仮固定突部の上方に蝶番固定具の仮固定孔を配置して、自重を利用して仮固定孔に仮固定突部が差し込まれるように蝶番固定具を下方に下げるだけで、複雑な工程を経ずに仮固定が完了するため、仮固定の作業を簡易なものにすることができる。
【００２１】
また、仮固定孔に仮固定突部が嵌り込むと自重により両者の位置関係は固定され、ぶれることがない。そして、その仮固定した状態で、蝶番と、蝶番固定具の固定部とを本固定することができる。これにより、蝶番固定具の固定位置のバラツキを軽減することができる。
また、蝶番固定具を取り外す際、本固定を解除しても、自重により安定した仮固定を維持することができる上に、その後、蝶番固定具を上方に持ち上げて、仮固定突部から仮固定孔を外すだけで、仮固定の解除も簡単にすることができる。
（請求項６）
請求項６記載の発明によれば、蝶番固定具の仮固定突部を、蝶番の仮固定孔に上方から差し込むことで、自重により安定した仮固定を行うことができる。
【００２２】
そして、仮固定の作業が、蝶番の仮固定孔の上方に蝶番固定具の仮固定突部を配置して、自重を利用して仮固定孔に仮固定突部が差し込まれるように蝶番固定具を下方に下げるだけで、複雑な工程を経ずに仮固定が完了するため、仮固定の作業を簡易なものにすることができる。
また、仮固定孔に仮固定突部が嵌り込むと両者の位置関係は固定され、ぶれることがない。そして、その仮固定した状態で、蝶番と、蝶番固定具の固定部とを本固定することができる。これにより、蝶番固定具の固定位置のバラツキを軽減することができる。
また、蝶番固定具を取り外す際、本固定を解除しても、自重により安定した仮固定を維持することができる上に、その後、蝶番固定具を上方に持ち上げて、仮固定突部から仮固定孔を外すだけで、仮固定の解除も簡単にすることができる。
【図面の簡単な説明】
【００２３】
【図１】本発明の第１の実施の形態であって、遊技機を示す分解斜視図である。
【図２】本発明の第１の実施の形態であって、遊技機を示す分解斜視図である。
【図３】本発明の第１の実施の形態であって、蝶番の回転部及び本体固定部を示す外観平面図である。
【図４】本発明の第１の実施の形態であって、蝶番の回転部及び本体固定部を示す外観斜視図である。
【図５】本発明の第１の実施の形態であって、蝶番プレートを示す外観斜視図である。
【図６】本発明の第１の実施の形態であって、蝶番プレートを示す部分斜視図である。
【図７】本発明の実施の形態であって、回転部を蝶番プレートから引き抜いた状態を示す外観斜視図である。
【図８】本発明の第１の実施の形態であって、上扉を本固定にした状態を示す外観斜視図である。
【図９】本発明の第１の実施の形態のバリエーションであって、遊技機を示す分解斜視図である。
【図１０】本発明の第１の実施の形態のバリエーションであって、遊技機を示す分解斜視図である。
【図１１】本発明の第２の実施の形態であって、遊技機を示す分解斜視図である。
【図１２】本発明の第３の実施の形態であって、回転部を蝶番プレートから引き抜いた状態を示す外観斜視図である。
【図１３】本発明の第３の実施の形態であって、上扉を本固定にした状態を示す外観斜視図である。
【発明を実施するための形態】
【００２４】
（第１の実施の形態）
本実施の形態における遊技機Sは、図１に示すように、大きく分けて、正面側に開口する正面開口部11を有する筐体1、筐体1内部に着脱自在に設けられる交換ユニット2、筐体1の正面開口部11を開閉可能に塞ぐ前扉3とを備えている。そして、筐体1の内部には、筐体1の開口上部13及び開口下部14を仕切る仕切部材である横方向に渡した中板12を備えている。この中板12は、筐体1の正面開口部11を上下に仕切ることにより、正面開口部11を正面開口部11の上側の開口上部13と、正面開口部11の下側の開口下部14との上下に２分割するものである。そして、前扉3は、筐体1の中板12の上側の開口上部13を開閉自在に塞ぐ上扉30と、筐体1の中板12の下側の開口下部14を開閉自在に塞ぐ下扉40とを備えている。
【００２５】
（筐体1）
上記筐体1は、図１及び図２に示すように、底板15、底板15の左右から立設する側板16、側板16の上端同士を結ぶ天板17及びそれらの枠状の裏側を塞ぐ裏板18からなる正面側に開口する正面開口部11を有する筺体である。この筐体1の高さ方向略中央部には、二つの側板16の間に水平方向に中板12が渡してある。そして、この中板12の下面には電源ユニット4が設けられ、底板15には払い出し装置5が固定されている。
ここで、電源ユニット4は、中板12の下面に、取り付け板等を介して取り付けられており、特に図示しないが電源装置が内装されていると共に、遊技店側が種々の設定を行うためのスイッチ等、店操作部を有している。
【００２６】
上記電源ユニット4及び払い出し装置5は、交換ユニット2の交換に際し、必ずしも交換する必要のないものであり、交換時には設置されたままにしておけるようになっているものである。
また、側板16の正面左側の下部には、前記下扉40を係合させ、回転自在に支持するための蝶番90としての本体係合部62が、上下方向に間隔をおいて二つ設けられている。
さらに、本体係合部62の対向側（右側）の側板16には、下扉40を閉めた際、下扉40をロックするための下部突出片69が、上下方向に間隔をおいて二つ設けられている。
（交換ユニット2）
交換ユニット2は、種々の部品を設置、或いは固定するための支持体としての四角枠状の枠体21と、この枠体21に固定されたリールユニット20及び基板ユニット24とから形成されている。
【００２７】
ここで、リールユニット20は、周囲に複数の図柄を表示した複数の回転リール23と、特に図示しないが、回転リール23を回転させるための駆動手段としての駆動モータを有している。また、前記基板ユニット24は、回転リール23の停止位置を制御するための制御装置25を備えている。
前記枠体21の正面左側の縦枠には、前記上扉30を回転自在に係合するための蝶番90としての枠体係合部64が、上下方向に間隔をおいて二つ設けられている。
さらに、枠体係合部64の対向側（正面から向かって右側）の縦枠には、上扉30を閉めた際、上扉30をロックするための上部突出片65が、上下方向に間隔をおいて二つ設けられている。
【００２８】
交換ユニット2の枠体21の手前側の左右の縦部材には、鍵状のフック34が形成されている。このフック34を、筐体1の左右の側板16内面の固定装置10により引っかけて交換ユニット2を筐体1内部に固定するためのものである
交換ユニット2は、筐体1の中板12の上に乗せ、開口上部13内部に収納されるものである。そして、フック34及び固定装置10により筐体1に固定される。
（上扉30及び下扉40の蝶番90の位置関係）
前記蝶番90は、上扉30用の上扉蝶番91と、下扉40用の下扉蝶番92とを備えている。
前記上扉蝶番91を、筐体1の開口上部13内部の正面から向かって左側に形成している。具体的には、この上扉蝶番91は、交換ユニット2の枠体21の正面から見て向かって左側の縦部材に固定された枠体係合部64である。この枠体係合部64は、上扉30の上扉係合部61を、上扉蝶番91が回転可能なように組み合わせることができる。
【００２９】
また、下扉蝶番92を、筐体1の開口下部14内部の正面から向かって左側に形成している。具体的には、この下扉蝶番92は、筐体1の正面から見て向かって左側の側板16に固定された本体係合部62である。この本体係合部62は、下扉40の下扉係合部63を、下扉蝶番92が回転可能なように組み合わせることができる。
（上扉30）
上扉30は、交換ユニット2の枠体21に回転自在かつロック可能に形成されている板状の扉である。そして、上扉30は、略中央部に前記回転リール23の図柄を正面側から見ることができる図柄表示窓31を有し、周囲に飾り部33を設けてある。そして、上扉30は、種々の表示を行うための表示装置32が設けられているものである。そして、上扉30の裏面上部の左右には、種々の音声を出力するためのスピーカ49が設けられている。
【００３０】
さらに、図１に示すように、上扉30には、前記枠体係合部64に係合可能な上扉係合部61が正面から見て向かって左側裏面の上下方向に間隔をおいて二つ設けられている。そして、上扉係合部61の対向側であって、上扉30を正面から見て向かって右側の裏面には、ロック機構7としての上扉施錠手段8が設けられている。
上扉30は、正面から見て向かって左側に設けた蝶番90を軸として回転自在に取り付けられているものである。この蝶番90は、具体的には、上述した枠体係合部64と上扉係合部61とを縦方向の回転軸を中心として回転可能に組み合わせた上扉蝶番91により形成されている。したがって、上扉30は、正面から見て左側に設けた上扉蝶番91を回転の中心軸として、向かって右側の端部が左側の方向へ所定角度（約９０度程）開くように形成されている。
【００３１】
（下扉40）
下扉40は、筐体1の開口下部14を塞ぐための、上扉30よりも幅厚の扉であり、筐体1の側板16に回転自在かつロック可能に形成されているものである。そして、下扉40は、筐体1の中板12の下側の開口下部14を開閉自在に塞ぐことができるものである。
下扉40の上部は、スロットマシンを作動させるための操作部41となっており、下扉40の上面は、閉じた状態においては、上扉30よりも前側に突出するようになっている。また、下部には払い出されたメダルを溜めておくためのメダル受け43が形成されており、下扉40の略中央部には、遊技内容その他の表示をするための前パネル50が嵌め込まれている。
【００３２】
前記操作部41としては、下扉40の上面右端にはメダル投入口42及び上面左側に設けられたベットスイッチ、正面側にはスタートスイッチ及びストップスイッチ及び鍵穴44が設けられている。この鍵穴44は、下扉40を解錠するためのものであり、この鍵穴44に所定の鍵を差し込んで回すと、下扉40のロックが解除されるものである。具体的には、下扉施錠手段9は、特に図示していないが、上扉施錠手段8と略同様のものが形成されているものである。
なお、ベットスイッチとは、貯留メダルをメダル投入に代えるためのものであり、スタートスイッチ及びストップスイッチは、回転リール23の回転を開始及び停止させるためのものである。
【００３３】
さらに、図１に示すように、下扉40の裏面側には、前記メダル投入口42から投入されたメダルを誘導しながらメダルの正偽を判断するためのメダルセレクター45が設けられている。
また、下扉40の裏面には、前記本体係合部62と係合可能な下扉係合部63が上下方向に間隔をおいて二つ設けられている。この本体係合部62と下扉係合部63とが回転可能に組み合わせられることにより、下扉40用の蝶番90としての下扉蝶番92が形成されるものである。すなわち、下扉40の正面から向かって左側に設けた下扉蝶番92を回転の中心軸として、下扉40が回動可能に形成されるものである。
【００３４】
そして、下扉係合部63の対向側（正面から向かって右側）には、ロック機構7としての下扉施錠手段9が設けられている。なお、本明細書中で、向かって正面側から見てというのは、遊技機Sの前面に遊技者が遊技を行う状態で遊技機S側に向かって座った状態から遊技機Sを見た状態を意味する。また、本明細書中で、手前側や、奥側といった方向を意味する表現も、上述したような遊技機Sの前に遊技機Sに向かって顔を向けて座った遊技者から見たときの手前側や、奥側を意味する。
（上扉30と交換ユニット2の係合）
交換ユニット2の蝶番90としての枠体係合部64は、枠体21の正面から向かって左側の縦枠に固定された本体固定部100と、この本体固定部100に対してリンク機構210を介して回動可能に接続される回転部110とを備えている。この枠体係合部64は、枠体21の左側の縦枠の上下方向に一定の間隔を置いて並設されている。
【００３５】
一方、上扉30の裏面には、枠体係合部64が係合可能な上扉係合部61が、枠体係合部64に対応するように形成されている。具体的には、枠体係合部64の回転部110を仮固定すると共に、本固定可能な蝶番プレート120が、前記枠体係合部64に対応するように設けられている。そして、この回転部110は、最終的には、締結部材（本固定用ねじ303）により、蝶番プレート120の固定部300（プレート側本固定用ねじ孔302）に固定されるものである。
すなわち、本実施の形態では、第１部材である筐体1に対して、第２部材である前扉3を、回転可能に軸支させるための蝶番セットを備えている。そして、この蝶番セットは、筐体1に固定する蝶番90と、前扉3に固定する蝶番固定具としての蝶番プレート120とを備えている。そして、この蝶番固定具としての蝶番プレート120は、蝶番90を本固定するための固定部300を備えている。
【００３６】
（蝶番90）
上記蝶番90は、筐体1内部の側部の前端に取り付けられて、筐体1の正面開口部11を開閉自在に塞ぐ前扉3を揺動開閉自在にヒンジ接続させるためのものである。
上記蝶番90は、筐体1側に固定する本体固定部100と、本体固定部100に対してリンク機構210を介して回動可能に接続される回転部110とを備えている。そして、蝶番90は、回転部110が蝶番プレート120に対して、或いは蝶番プレート120が回転部110に対して、仮固定できる仮固定手段80を備えている。
本実施の形態は、仮固定手段80を介して、回転部110を蝶番プレート120に、或いは蝶番プレート120を回転部110に、取り付けることにより、前扉3を筐体1に仮固定することができる。このため、前扉3を筐体1に取り付ける場合、仮固定手段80により前扉3を筐体1に仮固定した状態で、後述する固定部300をねじ等の締結部材で固定することができる。そして、仮固定手段80により仮固定されるため、かかる仮固定状態において、前扉3を、もう一人の作業者が手で保持しておく必要がない。これにより、前扉3の取り付け作業や、取り外し作業において、一人の作業者により、前扉3の取り付け、取り外し作業を行うことができて、作業効率を良好なものにすることができる。
【００３７】
なお、蝶番90は、上扉係合部61及び下扉係合部63に使用されているが、その構造は、同一のものである。
（本体固定部100）
上記本体固定部100は、筐体1側に固定されるものである。具体的には、遊技機S上部の枠体係合部64の本体固定部100は、交換ユニット2の正面から向かって左側の縦枠に固定されるものであり、遊技機S下部の本体係合部62の本体固定部100は、筐体1の側板16の下部に固定されるものである。
上記本体固定部100は、縦断面形状が略コ字状であって、全体形状が略箱状の箱状本体102と、この箱状本体102の側端から上下方向に延接された長方形板状の本体固定片101とを備えている。この本体固定片101は、本体固定部100を筐体1側にねじ等の締結部材で固定するためのものである。具体的には、本体固定片101は、固定片ねじ104を通すための表裏に貫通する固定片ねじ孔103が形成されている。
【００３８】
上記本体固定部100は、その箱状本体102に回転部110との間でリンク機構210を形成するための円柱軸状の第１回転軸211及び第２回転軸212を有している。そして、この第１回転軸211には、回転部110の第３回転軸213から延びる奥側連結片216が回動可能に連結されている。また、第２回転軸212には、回転部110の第４回転軸214から延びる手前側連結片215が回動可能に連結されている。
（回転部110）
上記回転部110は、本体固定部100に対してリンク機構210を介して回動可能に接続されているものである。具体的には、回転部110は、縦断面形状が略コ字状であって、全体形状が略箱状の回転部本体111と、この回転部本体111の下端から下方向に延びる長方形板状の衝接部150とを備えている。
【００３９】
前記回転部本体111は、リンク機構210を介して本体固定部100と連結するための第３回転軸213及び第４回転軸214を備えている。この第３回転軸213は、本体固定部100の第１回転軸211から延びる奥側連結片216に回動可能に連結されている。そして、第４回転軸214は、本体固定部100の第２回転軸212から延びる手前側連結片215に回動可能に連結されている。そして、衝接部150には、蝶番プレート120との間でねじ等の締結部材により固定するための表裏に貫通する固定部300としての固定用孔301が形成されている。
前記回転部本体111の上面である回転部本体上面112には、後述する仮固定手段80として、上方に向かって立設する仮固定突部310が形成されている。
【００４０】
すなわち、前記回転部110と、蝶番プレート120とには、回転部110を蝶番プレート120に対して仮固定することができる仮固定手段80が形成されている。
（蝶番プレート120）
上記蝶番プレート120は、前扉3の裏側に固定されて回転部110を取り付け可能なものである。この蝶番プレート120に回転部110を固定することにより、前扉3と筐体1側とが、蝶番プレート120、回転部110、リンク機構210及び本体固定部100を介して、仮固定或いは本固定することができる。なお、ここで、本固定とは、上扉30の取り付け作業の途中における一時的な仮の固定である「仮固定」に対応して、実際に使用する場合の本当の固定である「本固定」としているものであって、通常の固定を意味する。
【００４１】
前記蝶番プレート120は、図５に示すように、縦方向に長尺方向を有する金属薄板であって、ねじ等の締結部材により、上扉30及び下扉40に固定されるものである。そして、この蝶番プレート120の上下には、四角形状に切りかかれた切り欠き部140が形成されている。
前記切り欠き部140の上端縁から筐体側に水平方向に折り曲げられた折り曲げ片330が形成され、この折り曲げ片330には、後述する仮固定手段80としての円形状に表裏に貫通する仮固定孔320が２個、形成されている。
（仮固定手段80）
上記仮固定手段80は、回転部110が蝶番プレート120に対して仮固定できるようにするためのものであって、回転部110と蝶番プレート120とに設けられている。
【００４２】
仮固定手段80は、蝶番90の回転部110の上方に立設した仮固定突部310と、前扉3の蝶番プレート120に位置して、仮固定突部310に上方から嵌り込む仮固定孔320とを有している。
前記仮固定突部310は、蝶番90の回転部110の回転部本体111の上面である回転部本体上面112から、上方に向かって突出する２本の円柱状のものである。この仮固定突部310の上先端は、上方に向かって縮径する円錐状に形成されている。
前記仮固定孔320は、蝶番プレート120の切り欠き部140の上端から、遊技機Sに組み込んだ状態で筐体1側（後ろ側）に向かって略水平方向に折り曲げられた長方形状の折り曲げ片330に２個、表裏に貫通する円形状の孔である。なお、本実施の形態では、仮固定孔320は、折り曲げ片330の表裏に貫通する孔であるが、必ずしも表裏に貫通させる必要はなく、折り曲げ片330の厚みが有って、その深さが仮固定突部310の長さよりある場合には、少なくとも下方に向かって開口する孔であればよい。
【００４３】
この仮固定孔320の円形状の内径は、仮固定突部310の水平方向の断面形状の円の直径より僅かに大きくなるように形成されている。そして、２個の仮固定孔320の間隔は、２本の仮固定突部310の間隔と同一となるように形成されている。
前扉3（上扉30及び下扉40のそれぞれ）の蝶番プレート120の２個の仮固定孔320を、蝶番90の回転部110の回転部本体111の２個の仮固定突部310の上方に互いの位置関係が整合するように位置して、仮固定孔320に仮固定突部310が差し込まれるように、前扉3（上扉30及び下扉40のそれぞれ）を下方に向かって下げることで、仮固定孔320を仮固定突部310に差し込むことができる。その際、両方の位置関係が少しずれていても、仮固定突部310の先端が円錐状に形成されているため、円錐状の先端が仮固定孔320の内部に入り込めさえすれば、円錐状の斜面に沿って仮固定孔320の周縁がすべって移動し、両者を整合させることができる。
【００４４】
（本固定手段290）
前記本固定手段290は、上扉30及び下扉40の各蝶番プレート120の２つの切り欠き部140の下縁近傍にそれぞれ位置して、それぞれに対応する蝶番90を本固定するための固定部300としてのプレート側本固定用ねじ孔302と、蝶番90の回転部本体111の衝接部150の蝶番側本固定用孔301と、プレート側本固定用ねじ孔302及び蝶番側本固定用孔301の両者を締結するための本固定用ねじ303とを備えている。この本固定手段290は、上扉30に上下２箇所、形成されてあり、また、同一のものが、下扉40の上下にも２箇所、同様の箇所に同様の構造のものが形成されている。
【００４５】
前記固定部300としてのプレート側本固定用ねじ孔302は、本固定用ねじ303をネジ止めできるように内面にネジ溝が切られている。
前記蝶番側本固定用孔301は、本固定用ねじ303のねじ部分（頭部以外の部分）の外径より僅かに大きな内径を有すると共に、内面にネジ溝が切られていない孔である。
前記本固定用ねじ303は、図８に示すように、頭部にプラスドライバーを差し込み可能な十字溝を有するネジであって、この本固定用ねじ303の頭部と、蝶番プレート120との間に衝接部150を挟み込んで両者を固定することができるものである。
なお、本実施の形態では、プラスドライバーで締結可能な本固定用ねじ303を使用しているが、特にこれに限定されるものではなく、手締め可能なネジを使用することにより、ドライバー等の工具を用いずに、上扉30や下扉40の交換をすることが可能となる。
【００４６】
（リンク機構210）
上記リンク機構210は、本体固定部100に対して回転部110を回動可能に連結するためのものである。このリンク機構210は、本体固定部100に、円柱軸状の第１回転軸211及び第２回転軸212を有し、回転部110に円柱軸状の第３回転軸213及び第４回転軸214を有している。そして、第１回転軸211と、第３回転軸213との間を、奥側連結片216によって連結し、第２回転軸212と、第４回転軸214との間を、手前側連結片215によって連結しているものである。このリンク機構210は、本体固定部100と、奥側連結片216と、回転部110と、手前側連結片215とにより、４個のリンクを形成し、これらのリンクを第１回転軸211と、第２回転軸212と、第３回転軸213と、第４回転軸214とからなる対偶で連結することによる連鎖を形成しているものである。このリンク機構210により、回転部110を本体固定部100の周囲に回転させながら移動させることができて、回転部110に蝶番プレート120を介して固定した前扉3を本体固定部100の周囲に回転移動させることができる。これにより、上扉30及び下扉40の開閉動作を実現することができるものである。
【００４７】
（分離型の遊技機Sの交換手順）
以上のように構成された分離型の遊技機Sについて、遊技内容変更のための台交換は、例えば、以下のように行うことができる。
第一に、交換ユニット2のみを取り替えることができる。すなわち、下扉40を解錠してから、下扉40を開状態にして、上扉30の上扉施錠手段8のロックを解除する。そして、上扉30を開いて蝶番プレート120と回転部110との本固定手段290である本固定用ねじ303を外す。そして、上扉30を筐体1から僅かに上方に移動させて、仮固定突部310から仮固定孔320を抜き取り、枠体21から上扉30を取り外す。しかる後、固定装置10を外し交換ユニット2を取り出す。そして新たな交換ユニット2を筐体1に取り付け、先ほど外した上扉30を取り付けるものである。このような交換によれば、スロットマシンの外観をいっさい変えることなく遊技内容を変更することができる。
【００４８】
第二に、上扉30及び交換ユニット2のみを取り替えることができる。すなわち、上記した手順において、新たな交換ユニット2を筐体1に取り付けたのち、新たな上扉30を取り付けるものである。このとき、交換ユニット2と上扉30が一体に形成されていれば、作業効率がなおよいものである。このような交換によれば、遊技の変更に伴い回転リール23の数が変わったり、表示装置32を変更しても、上扉30の形状を同時に変えることができる。
第三に、上扉30、交換ユニット2及び前パネル50のみを取り替えることができる。すなわち、上記した手順に加え、下扉40から前パネル50を取り外し、新たな前パネル50を取り付けるものである。このような交換によれば、外観上、上扉30及び前パネル50が変わることにより、最低限のパーツ交換であたかも全く異なるスロットマシンをホールに配置したような効果が得られる。
【００４９】
このほか、外観のみを変化させたいときには上扉30と前パネル50のみを交換してもよいし、場合によっては上扉30のみ、或いは、前パネル50のみを交換することもできる。また、上扉30、下扉40、交換ユニット2のすべてを交換しても、遊技に直接関係のない電源ユニット4や払い出し装置5を筐体1に残して、あたかもスロットマシンを一新したかのような効果が得られる。
（作用）
本実施の形態に係る遊技機Sは、上扉30の蝶番プレート120から筐体1側に向かって突出する上下２つの折り曲げ片330にそれぞれ２個設けた仮固定孔320を、開口上部13の上下２つの蝶番90（上扉蝶番91）の回転部本体111にそれぞれ２個設けた仮固定突部310に上方から、整合するように差し込むことで、両者を嵌めることができ、上扉30の自重により安定した仮固定を行うことができる。また、同様に下扉40も、開口下部14に筐体1の側板16に設けた下扉蝶番92により、仮固定することができる。
【００５０】
そして、仮固定の作業が、蝶番90の仮固定突部310の上方に上扉30及び下扉40の仮固定孔320を配置して、上扉30及び下扉40の各自重を利用して仮固定孔320に仮固定突部310が差し込まれるように上扉30及び下扉40を下方に下げるだけの１工程だけで、複雑な動作を伴う複数の工程を経ずに仮固定が完了するため、仮固定の作業を簡易なものにすることができる。
また、蝶番90の仮固定突部310の上方に上扉30及び下扉40の仮固定孔320が位置するようにして、上扉30及び下扉40を下げて仮固定孔320に仮固定突部310を差し込むだけであるため、上扉30及び下扉40を大きく開いた状態で作業をする必要がなく、遊技機S周辺のスペースを十分に確保できないような場所であっても、作業をすることができる。
【００５１】
また、仮固定孔320に仮固定突部310が嵌り込むと、両者の水平方向の移動が規制されると共に、仮固定孔320及び仮固定突部310は、それぞれ２組、その軸方向が平行となる位置に形成されていることにより、仮固定突部310の円柱形状の中心軸を中心として回動する方向も規制される。また、折り曲げ片330の下面と、回転部本体111の回転部本体上面112とが当接して、上下方向が規制される。これにより、上扉30及び筐体1は、水平方向及び上下方向が規制され、両者の位置関係は、蝶番90による回動を除いて、固定され、ぶれることがなく、安定した状態の仮固定状態を維持することができる。
そして、その仮固定した状態で、蝶番90の蝶番プレート120のプレート側本固定用ねじ孔302と、上扉30及び下扉40の固定部300である蝶番側本固定用孔301とを本固定用ねじ303で締結することにより、両者を本固定することができる。これにより、前扉3の固定位置のバラツキを軽減することができる。
【００５２】
特に、蝶番90の回転部本体上面112に、折り曲げ片330の下面が当接して乗る形で両者が固定されるため、上扉30の取り付けの上下方向のガタツキを軽減することが可能となり、上扉30の取り付け位置の精度を向上させることができる。
また、上扉30及び下扉40のそれぞれを取り外す際も、各２本の本固定用ねじ303を取り外すだけで、本固定を解除することができ、上扉30及び下扉40の自重により安定した仮固定状態を維持することができる。そして、その後、上扉30及び下扉40のそれぞれを上方に持ち上げて、仮固定突部310から仮固定孔320を外すだけの１工程の作業だけで、仮固定も簡単に解除することができる。
【００５３】
なお、上述した実施の形態で、上扉蝶番91を枠体21に設けていたが、上扉蝶番91の固定位置は、特にこれに限定されるものではない。例えば、図９に示すように、上扉蝶番91を、下扉蝶番92と同様に、筐体1の正面から向かって左側の側板16の内面に設けてもよいものである。
更に、図１０に示すように、２個の上扉蝶番91のうちのいずれか一方を、枠体21に設け、他方を筐体1の側板16の内面に固定するようにしてもよい。
（第２の実施の形態）
第１の実施の形態では、前扉3は、上扉30及び下扉40に分離していたが、本実施の形態では、前扉3は、図１１に示すように、上下に分離することなく全体を一体として１枚の扉を形成し、筐体1の正面開口部11を開閉可能に形成するものである。
【００５４】
本実施の形態でも、第１の実施の形態と同様に、前扉3を蝶番90に簡単に仮固定することができる。なお、図１１では、蝶番90を上下方向に全部で４個、形成しているが、特にこれに限定されることなく、蝶番90を上下に全部で３個、２個若しくは１個、形成するようにしてもよい。蝶番90の数が減ることで、全体としての仮固定作業の負担を軽減することができて、仮固定の作業を更に簡単なものにすることができる。
また、本実施の形態に係る遊技機Sにおいて、遊技ホール等での遊技内容変更のための台交換は、例えば、交換ユニット2のみを取り換えることができる。すなわち、前扉3を解錠してから、前扉3を開いて蝶番プレート120と回転部110との本固定手段290である本固定用ねじ303を外す。そして、前扉3を筐体1から僅かに上方に移動させて、仮固定突部310から仮固定孔320を抜き取り、枠体21から前扉3を取り外す。しかる後、固定装置10を外し交換ユニット2を取り出す。そして新たな交換ユニット2を筐体1に取り付け、先ほど外した前扉3を取り付ける。この交換によれば、スロットマシンの外観をいっさい変えることなく遊技内容を変更することができる。
【００５５】
また、前扉3及び交換ユニット2のみを取り換えることができる。すなわち、上記した手順において、新たな交換ユニット2を筐体1に取り付けたのち、新たな前扉3を取り付ける。このとき、交換ユニット2と前扉3とが一体に形成されていれば、作業効率がなおよい。
また、場合によっては、前扉3のみ、或いは、前パネル50のみを効果することもできる。
また、本実施の形態では、蝶番90の固定位置は、第１の実施の形態と同様に、上扉蝶番91の２個は、枠体21に設け、下扉蝶番92の２個は、筐体1に設けているが、これも特に限定されるものではなく、図９に示すように、全部（複数個、例えば４個）の蝶番90を筐体1の側板16内面に設けてもよく、また、図１０に示すように、複数個、例えば４個の蝶番90のうち、一部（１個、２個又は３個等）の蝶番90を、筐体1に設けるようにしてもよい。
【００５６】
（第３の実施の形態）
本実施の形態は、第１の実施の形態における仮固定手段80としての仮固定孔320と、仮固定突部310との取り付け位置が逆になっているものである。具体的には、図１２に示すように、蝶番90の回転部本体111の回転部本体上面112には、表裏に貫通する仮固定孔320が設けられている。なお、この仮固定孔320は、必ずしも表裏に貫通させる必要はなく、少なくとも上方に向かって開口して、仮固定突部310が差し込み可能な深さを有する窪み状の孔であればよい。そして、上扉30及び下扉40の蝶番プレート120の折り曲げ片330の下面側から下方に向かって突出して、前記仮固定孔320に上方から嵌り込む仮固定突部310が形成されているものである。
【００５７】
そして、上扉30及び下扉40の各折り曲げ片330から下方に突出した仮固定突部310を蝶番90の回転部本体上面112の仮固定穴に上方から差し込んで仮固定した後に、蝶番プレート120と衝接部150とを重ねて、固定部300としてのプレート側本固定用ねじ孔302と蝶番90の蝶番側本固定用孔301とに本固定用ねじ303をねじ込み、蝶番プレート120及び衝接部150をネジ止めすることで、上扉30又は下扉40と蝶番90とをそれぞれ本固定するものである。
本実施の形態は、仮固定孔320と、仮固定突部310との取り付け位置を交換しただけで、その他の構成は、第１の実施の形態と同様なものである。
本実施の形態において、上扉30及び下扉40の折り曲げ片330から下方に突出する仮固定突部310を、蝶番90の仮固定孔320に上方から差し込むことで、上扉30及び下扉40のそれぞれの自重により安定した仮固定を行うことができる。
【００５８】
そして、仮固定の作業が、蝶番90の仮固定孔320の上方に上扉30及び下扉40の仮固定突部310を位置するように上扉30及び下扉40を配置して、上扉30及び下扉40の各自重を利用して仮固定孔320に仮固定突部310が差し込まれるように上扉30及び下扉40をそれぞれ下方に下げるだけで、複雑な工程を経ずに仮固定が完了するため、仮固定の作業を簡易なものにすることができる。
また、仮固定作業が上述したものであるため、第１の実施の形態の作用及び効果と同様に、遊技機S周辺のスペースを十分に確保できないような場所であっても、作業をすることができ、上扉30及び下扉40の固定位置のバラツキを軽減することができ、上扉30及び下扉40を取り外す際も、上扉30及び下扉40をそれぞれ持ち上げるだけで、仮固定を簡単に解除することができる。
【００５９】
なお、本実施の形態でも、上扉蝶番91を枠体21に設けていたが、上扉蝶番91の固定位置は、特にこれに限定されるものではない。例えば、図９に示すように、上扉蝶番91を、下扉蝶番92と同様に、筐体1の正面から向かって左側の側板16の内面に設けてもよいものである。
更に、図１０に示すように、２個の上扉蝶番91のうちのいずれか一方を、枠体21に設け、他方を筐体1の側板16の内面に固定するようにしてもよい。
また、本実施の形態においても、第２の実施の形態のように、前扉3を上扉30及び下扉40に分離せずに、全体を一体としての１枚の前扉3を形成するように形成してもよい。
【００６０】
また、本実施の形態では、上述したような蝶番90を、スロットマシンの筐体1と前扉3との間に設けたが、この蝶番90を適用できるものは特にスロットマシンに限定されるものではなく、通常の蝶番（ヒンジ）を使用するものであれば適用可能なものである。具体的には、例えば、上述したような蝶番90を、パチンコ機の外枠と本体枠（遊技盤、基板、上皿、下皿等を取り付ける枠）との間のヒンジに使用してもよく、また、本体枠とガラス扉との間のヒンジに使用してもよい。
【符号の説明】
【００６１】
S  遊技機                              1  筐体
2  交換ユニット                        3  前扉
11  正面開口部                          20  リールユニット
23  回転リール                          30  上扉
40  下扉                                90  蝶番
120  蝶番固定具（蝶番プレート）        300  固定部
310  仮固定突部                        320  仮固定孔
【図１】
2011004846.tif 000003
【図２】
2011004846.tif 000004
【図３】
2011004846.tif 000005
【図４】
2011004846.tif 000006
【図５】
2011004846.tif 000007
【図６】
2011004846.tif 000008
【図７】
2011004846.tif 000009
【図８】
2011004846.tif 000010
【図９】
2011004846.tif 000011
【図１０】
2011004846.tif 000012
【図１１】
2011004846.tif 000013
【図１２】
2011004846.tif 000014
【図１３】
2011004846.tif 000015